(57)【特許請求の範囲】
【請求項１】
ＳＤＨ伝送方式に従う第１の伝送路およびＳＯＮＥＴ伝送方式に従う第２の伝送路の組、または、ＳＯＮＥＴ伝送方式に従う第１の伝送路およびＳＤＨ伝送方式に従う第２の伝送路の組、の少なくともいずれか一組の伝送路を収容し、前記第１の伝送路と前記第２の伝送路の間でオーバヘッドを含む光信号の中継を行なう光信号の伝送装置において、
前記第１の伝送路との間で光信号の送受信を行なう第１の光信号送受信部と、
前記第２の伝送路との間で光信号の送受信を行なう第２の光信号送受信部とを有し、
前記第１の光信号送受信部と前記第２の光信号送受信部は相互に信号の送受信を行ない、
前記第１の光信号送受信部は、
前記第２の光信号送受信部から受信した信号にＡＩＳが含まれているか否かを識別するＡＩＳ識別部と、
前記ＡＩＳ識別部により前記第２の光信号送受信部から受信した信号にＡＩＳが含まれていると判断された場合に、前記第２の光信号送受信部へ送信する信号のオーバヘッドに含まれるＳＳビットに“１１”を設定する送信処理部とを有することを特徴とする光信号の伝送装置。
【請求項２】
請求項１に記載の光信号の伝送装置において、
前記第１の光信号送受信部は、前記第１の伝送路から受信した信号のオーバヘッドに含まれるＳＳビットを検出し、
前記送信処理部は、前記ＡＩＳ識別部により前記第２の光信号送受信部から受信した信号にＡＩＳが含まれていないと判断された場合に、前記検出されたＳＳビットが、
“１０”である場合は“１０”を、
“００”である場合は“００”を、
“１０”でなく、かつ“００”でもない場合は“１０”または“００”のいずれかを、前記第２の光信号送受信部へ送信する信号のオーバヘッドに含まれるＳＳビットに設定することを特徴とする光信号の伝送装置。
【請求項３】
ＳＤＨ伝送方式に従う第１の伝送路およびＳＯＮＥＴ伝送方式に従う第２の伝送路の組、または、ＳＯＮＥＴ伝送方式に従う第１の伝送路およびＳＤＨ伝送方式に従う第２の伝送路の組、の少なくともいずれか一組の伝送路を収容し、前記第１の伝送路と前記第２の伝送路の間で光信号の中継を行なう光信号の伝送装置において、
前記第１の伝送路との間で光信号の送受信を行なう第１の光信号送受信部と、
前記第２の伝送路との間で光信号の送受信を行なう第２の光信号送受信部とを有し、
前記第１の光信号送受信部と前記第２の光信号送受信部は相互に信号の送受信を行ない、
前記第１の光信号送受信部は、
前記第１の光信号送受信部から受信する信号のオーバヘッドに含まれるＳＳビットの値を検出する解釈部と、
前記第２の光信号送受信部から受信した信号にＡＩＳが含まれているか否かを識別するＡＩＳ識別部と、
前記ＡＩＳ識別部により前記第２の光信号送受信部から受信した信号にＡＩＳが含まれていないと判断された場合は、前記第１の伝送路へ送信する信号のオーバヘッドに含まれるＳＳビットに前記解釈部により検出されたＳＳビットの値を設定し、前記ＡＩＳ識別部により前記第２の光信号送受信部から受信した信号にＡＩＳが含まれていると判断された場合は、前記第１の伝送路へ送信する信号のオーバヘッドに含まれるＳＳビットに“１１”を設定し、若しくは当該ＳＳビットをそのまま通過させる送信処理部とを有することを特徴とする光信号の伝送装置。
【請求項４】
請求項３に記載の光信号の伝送装置において、
前記第１の光信号送受信部の送信処理部は、前記ＡＩＳ識別部により前記第１の光伝送路から受信した信号にＡＩＳが含まれていると判断された場合に、前記第２の光信号送受信部から受信した信号のオーバヘッドに含まれるＳＳビットが“１１”である場合は、当該ＳＳビットをそのまま通過させることを特徴とする光信号の伝送装置。
【発明の詳細な説明】
【０００１】
【発明の属する技術分野】
本発明は、ＳＤＨ（Ｓｙｎｃｈｒｏｎｏｕｓ  Ｄｉｇｉｔａｌ  Ｈｉｅｒａｒｃｈｙ）同期伝送方式およびＳＯＮＥＴ（Ｓｙｎｃｈｒｏｎｏｕｓ  Ｏｐｔｉｃａｌ  Ｎｅｔｗｏｒｋ）同期伝送方式の異なる複数の伝送同期方式が収容される多重化伝送装置に関する。
【０００２】
【従来の技術】
従来からの同期デジタル伝送方式としては、ＡＮＳＩ  Ｔ１．１０５に定められているＳＯＮＥＴ同期伝送方式と、ＩＴＵ−Ｔ  Ｇ．７０７（１９９５）に定められているＳＤＨ同期伝送方式がある。どちらの伝送方式も、パス、ライン（Ｍ−セクション）、セクション（Ｒ−セクション）といったレイヤーの概念や、オーバヘッドの使用方法が共通に設定されている。
【０００３】
【表１】
0003787418.tif 000002
【０００４】
表１に、２種類の同期デジタル伝送方式の各オーバヘッドの用途を比較して示す。両伝送方式でのオーバヘッドの運用は、セクションオーバヘッドのＣ１バイトが、ＳＯＮＥＴ伝送方式ではＯＣ−Ｍ信号のＯＣ−１多重番号の指定に用いられるの対し、ＳＤＨ伝送方式では、ＳＴＭ−Ｍ信号のＳＴＭ−１多重番号の指定に用いる点、セクションオーバヘッドのＪ０バイトの使用法が異なる点、ラインオーバヘッドのＳ１バイトの使用法が異なる点、および、ポインタのＨ１バイトの５、６ビットであるＳＳビットの使用法が異なる点で相違するのみである。
【０００５】
Ｃ１バイトは、ＳＤＨ伝送方式ではＳＴＭ−１単位の多重化番号が付与され、ＳＯＮＥＴ伝送方式ではＯＣ−１（ＳＴＭ−０に相当）単位の多重化番号が付与されるので、送信値は互いに異なる。しかしＳＯＮＥＴ伝送方式では受信Ｃ１バイトを無視することになっており、一方のＳＤＨ伝送方式では受信Ｃ１バイトの処理は特に規定されてはいない。
Ｊ０バイトはセクショントレース（Ｒ−セクショントレース）として使用され、ＳＤＨ伝送方式ではＩＴＵ−Ｔ  Ｇ．７０７において使用方法が規定されているが、ＳＯＮＥＴ伝送方式では未規定である。また、Ｓ１バイトは下位４ビットが網同期状態を示すＳｙｎｃｈｒｏｎｉｚａｔｉｏｎ  Ｓｔａｔｕｓ  Ｍｅｓｓａｇｅに使用されるが、そのコード値が両方式間では異なっている。
【０００６】
次にポインタのＳＳビットについて説明する。オーバヘッドのＨ１バイトおよびＨ２バイトに位置するポインタは、パスの先頭位相の指示に使用される。ただし、オーバヘッド部分のポインタ部の構造を示す図１にあるように、Ｈ１バイトのＳＳビット（Ｈ１バイトの５ビット、６ビット）については、その使用方法が異なり、ＳＤＨ方式ではＡＵタイプを示し”１０”が定義されるが、ＳＯＮＥＴ方式では未定義である。ＳＯＮＥＴ方式では未定義ビットは、”０”であるため、ＳＳビットは”００”となる。
ＳＯＮＥＴ伝送方式ではこのＳＳビットはポインタ値解釈では無視されるが、ＳＤＨ伝送方式では、ポインタ値解釈の条件にＳＳビットを含めることがＩＴＵ−Ｔ  Ｇ．７８３  ＡＮＮＥＸ  Ｃ（１９９６）に記載されている。
【０００７】
ここで、ある多重化伝送装置がＳＤＨ方式の伝送路とＳＯＮＥＴ方式の伝送路の双方に接続される場合を考える。例えば、高速側の伝送路がＳＯＮＥＴ方式で、低速側の伝送路がＳＤＨ方式といった具合にである。この時、主信号に悪影響を及ぼすのは前記の相違点のうちＳＳビットの相違のみである。以下、このことを具体的に説明する。
【０００８】
ここで低速側の伝送路とは、多重化される前の低ビットレート側の伝送路を意味しており、一方高速側の伝送路とは、多重化された後の高ビットレート側の伝送路を意味する。以降では、この低ビットレート側の信号と高ビットレート側の信号をそれぞれ単に低速信号、高速信号と呼ぶ。
【０００９】
ポインタ処理部を備えるＳＯＮＥＴ方式の多重化装置がＳＤＨ方式のＳＳビット（“１０”）を受信しても、このＳＳビットは無視される為、悪影響は生じない。しかしＳＳビットをポインタ値解釈条件に含むポインタ処理部を備えるＳＤＨ方式の多重化装置が、ＳＯＮＥＴ方式のＳＳビット（“００”）を受信した場合には、受信データ自体は正常であったとしても、ポインタ処理部においてＳＳビットのミスマッチによるポインタ異常（ＡＵ−ＬＯＰ）を検出してしまう。あるＡＵ（Ａｄｍｉｎｉｓｔｒａｔｉｖｅ  Ｕｎｉｔ）でＡＵ−ＬＯＰが検出されれば、このＡＵに警報信号（ＡＵ−ＡＩＳ）が挿入されるので、結果的には受信データの消失に至る。ここでＡＵ−ＡＩＳ挿入とは、ＡＵポインタと高次バーチャルコンテナの全ビットをオール“１”にすることである。
一方、Ｊ０（Ｃ１）バイト、Ｓ１バイトの相違は上記の如くの受信データの消失といった主信号への悪影響は及ぼさない。
【００１０】
このように、Ｊ０（Ｃ１）バイト、Ｓ１バイト、及びポインタのＨ１バイトのＳＳビット（Ｈ１バイトの５ビット、６ビット）の使用方法がＳＯＮＥＴ方式とＳＤＨ方式では異なるので、低速信号伝送路または高速信号伝送路の対向装置にＳＯＮＥＴ伝送方式とＳＤＨ伝送方式のいずれかが接続されうる場合には、これらの対向装置がつながれる度に接続の都度、オペレーションシステムあるいは、ローカルクラフトインタフェースから、ＳＯＮＥＴ方式信号かＳＤＨ方式信号かを設定することで、少なくともＳＯＮＥＴ方式かＳＤＨ方式のどちらのＳＳビットを送信するか、さらに場合によってはＳＯＮＥＴ方式かＳＤＨ方式のどちらのＪ０（Ｃ１）バイト、Ｓ１バイトを送信するかを一括的に選択する必要があった。
【００１１】
この方法では、国際間のネットワークの境界で接続される多重化伝送装置において、ある低速信号伝送路または高速信号伝送路の対向装置がＳＯＮＥＴ伝送方式かＳＤＨ伝送方式のいずれかが判断できない場合には、適切なＳＳビットの送信を保証できず、場合によってはＳＤＨ方式の対向装置で、前記した如くの受信ＳＳビットのミスマッチに起因するデータ消失を誘発することとなる。
【００１２】
【発明が解決しようとする課題】
本発明は、上記問題に鑑みなされたもので、低速伝送路または高速伝送路の対向装置にＳＯＮＥＴ伝送方式とＳＤＨ伝送方式のいずれもが接続され得る多重化伝送装置において、オペレーションシステムあるいはローカルクラフトインタフェースからＳＯＮＥＴ方式かＳＤＨ方式かを設定することなしに、ＳＯＮＥＴ方式とＳＤＨ方式のいずれでも接続可能な伝送装置を提供することを目的とする。
【００１３】
【課題を解決するための手段】
本発明による多重化装置は、ＳＯＮＥＴ方式信号あるいはＳＤＨ方式信号の受信／送信を行う複数の低速信号受信／送信部と、多重分離変換部と、ＳＯＮＥＴ方式あるいはＳＤＨ方式の高速信号の受信／送信部から成る多重化伝送装置であり、前記低速信号受信／送信部と前記高速信号受信／送信部は、伝送路から受信したＳＯＮＥＴ方式あるいはＳＤＨ方式信号のＳＳビット（Ｈ１バイトの５ビット、６ビット）を受信する受信側受信処理部と、該受信ＳＳビットが”１０”あるいは、”００”の場合は、この値を内部ＳＳビットとし、これ以外の場合は内部ＳＳビットを前状態保持とする内部ＳＳビット設定部と、ＡＩＳ転送時にはＳＳビットを”１１”とし、それ以外ではＳＳビットを無処理、または内部ＳＳビット、または任意値とし多重分離変換部に送信する受信側送信処理部と、多重分離変換部からの信号にＡＩＳが転送されている時にはＳＳビットをそのまま、ないしは“１１”とし、それ以外ではＳＳビットを前記内部ＳＳビットと同じとして伝送路に送信する送信側送信処理部とから構成される。
【００１４】
本発明の多重化伝送装置は、以上の構成を備えているので、ＳＯＮＥＴ方式とＳＤＨ方式では、Ｈ１バイトのＳＳビットの使用方法は異なっているにもかかわらず、一つの多重伝送装置の別のインタフェースにそれぞれ別の方式の信号が送られてきたときでも、オペレーションシステムあるいは、ローカルクラフトインタフェースから指示を与えなくても、ＳＯＮＥＴ方式信号かＳＤＨ方式信号かを識別し、対向装置に正しいＳＳビットを送信することができる。
【００１５】
ここで、多重化伝送装置が国際間のネットワークの境界付近で使用される場合について説明する。図２は、例えば米国内等のＳＯＮＥＴ伝送方式と、例えばメキシコ国内等のＳＤＨ伝送方式との境界付近（国境付近）において、ＳＯＮＥＴ方式側の多重化伝送装置に、（１）ＳＤＨ方式の低速信号を接続する場合、（２）ＳＤＨ方式の高速信号を接続する場合の概観を示している。
【００１６】
（１）のＳＤＨ方式の低速信号の接続では、ＳＯＮＥＴ方式多重化伝送装置１００の低速信号受信／送信部（ＯＣ−１２）１−１６の対向装置として、ＳＤＨ方式多重化伝送装置２５０が接続され、他の低速信号受信／送信部（ＯＣ−１２）１の対向装置として、ＳＯＮＥＴ方式多重化伝送装置１５０（ＬＴＥ：Ｌｉｎｅ  Ｔｅｒｍｉｎａｔｉｎｇ  Ｅｑｕｉｐｍｅｎｔ）が接続された場合を示している。
【００１７】
（２）のＳＤＨ方式の高速信号の接続では、ＳＯＮＥＴ方式の挿入分離多重化伝送装置１０１、１０２（ＡＤＭ：Ａｄｄ  Ｄｒｏｐ  Ｍｕｌｔｉｐｌｅｘｅｒ）の高速信号受信／送信部（ＯＣ−１９２）３、４の対向装置として、各々ＳＯＮＥＴ方式１０３、ＳＤＨ方式の挿入分離多重化伝送装置２００が接続された場合を示している。挿入分離多重化伝送装置１０２の低速信号受信／送信部（ＯＣ−１２）１−３、１−４には対向装置として、各々ＳＯＮＥＴ方式多重化伝送装置１５０、ＳＤＨ方式多重化伝送装置２５０が接続されている。
【００１８】
なお、図２では、示されていない２台のＬＴＥ間の高速伝送路が国境をまたいでも構わない。
【００１９】
次に、図２のＬＴＥとＡＤＭとを図３と図４を用いて説明しよう。図３は、ＳＤＨ方式、ＳＯＮＥＴ方式ともにもちいることができるＬＴＥ型の多重化伝送装置の機能ブロック図を示している。図３に示すとおり、ＬＴＥは、複数の低速信号受信／送信部１−１、１−２、…、１−１６と、多重分離部２と、高速信号受信／送信部３とからなる。各々の信号受信／送信部１、３は、ＳＰＩ（ＳＤＨ  Ｐｈｙｓｉｃａｌ  Ｉｎｔｅｒｆａｃｅ）部３０、ＲＳＴ（Ｒｅｇｅｎｅｒａｔｏｒ  Ｓｅｃｔｉｏｎ  Ｔｅｒｍｉｎａｔｉｏｎ）部４０、ＭＳＴ（Ｍｕｌｔｉｐｌｅｘｅｒ  Ｔｅｒｍｉｎａｔｉｏｎ）部５０、ＭＳＰ（ＭｕｌｔｉｐｌｅｘＳｅｃｔｉｏｎ  Ｐｒｏｔｅｃｔｉｏｎ）部６０、ＭＳＡ（Ｍｕｌｔｉｐｌｅｘ  Ｓｅｃｔｉｏｎ  Ａｄａｐｔａｔｉｏｎ）部７０、ＨＣＳ（Ｈｉｇｈｅｒ  Ｏｒｄｅｒ  Ｐａｔｈ  Ｃｏｎｎｅｃｔｉｏｎ  Ｓｕｐｅｒｖｉｓｏｒｙ）部８０は、各々、ＩＴＵ−Ｔ  Ｇ．７８３で規定されるＳＰＩ、ＲＳＴ、ＭＳＴ、ＭＳＰ、ＭＳＡ、ＨＣＳのＳＤＨ方式の各機能を有するとともに、それぞれに対応するＳＯＮＥＴ方式の機能も有している。
【００２０】
図４は、ＳＤＨ方式、ＳＯＮＥＴ方式ともにもちいることができるＡＤＭ型の多重化伝送装置の機能ブロック図を示している。図４に示すとおり、ＡＤＭは、複数の低速信号受信／送信部１−１、１−２、…、１−１６と、多重分離部２と、挿入分離部５と、複数の高速信号受信／送信部３、４とからなる。各々の信号受信／送信部１、３、４は、ＬＴＥと同様に、ＳＰＩ部３０、ＲＳＴ部４０、ＭＳＴ部５０、ＭＳＰ部６０、ＭＳＡ部７０、ＨＣＳ部８０は、各々、ＩＴＵ−ＴＧ．７８３で規定されるＳＤＨ方式の各機能を有するとともに、それぞれに対応するＳＯＮＥＴ方式の機能も有している。
【００２１】
次に、図３に示したＬＴＥ、図４に示したＡＤＭの信号受信／送信部をさらに詳しく図５を用いて説明しよう。伝送路側から送信されてきた信号は、ＭＳＡ部７０のポインタ解釈部１１１でポインタ情報とオペレーティングシステム９からの情報とを解釈し、必要に応じてポインタ変換部１１２で変換する。多重分離変換部２または挿入分離部５から送信されてきた信号は、ＭＳＡ部７０のＡＩＳ識別部２１１の情報とオペレーティングシステム９からの情報をＳＳビット挿入判定部２２２で判定し、ＳＳビット挿入部２２１でＳＳビットが挿入され伝送路へ送出される。
【００２２】
【発明の実施の形態】
以下、図６および図７を用いて本発明の実施の形態である多重化伝送装置および信号受信／送信装置の実施例を説明する。
【００２３】
ＳＯＮＥＴ方式信号およびＳＤＨ方式信号の受信／送信を行う複数の低速信号受信／送信部と、多重分離変換部と、ＳＯＮＥＴ方式の高速信号の受信／送信部とからなる多重化伝送装置を、まず説明しよう。図６では、低速信号送信／受信部（ＯＣ−１２）１−２の対向装置として、ＳＤＨ方式多重化装置が接続され、他の低速信号送信／受信部（ＯＣ−１２）１の対向装置として、ＳＯＮＥＴ方式多重化装置が接続された場合を示している。この実施例では、ＳＯＮＥＴ方式信号およびＳＤＨ方式信号を受信／送信した低速信号受信／送信部１は、多重分離変換部２を通して高速信号受信／送信部３と接続している。
【００２４】
この場合、対向装置がＳＤＨ方式多重化装置である低速信号送信／受信装置（ＯＣ−１２）１−２の伝送路側（送信／受信とも）でのみＳＳビットが”１０”となる必要がある。したがって、ＳＳビットの運用は、各インタフェース部より、伝送路側を見たエリア（図６の中の枠でくくった部分）で閉じる必要がある。多重化伝送装置内（Ａ点）におけるＳＳビットは、高速信号受信／送信部（ＯＣ−１９２）の送信部において付与されて高速側の伝送路へ送りだされる。
【００２５】
本実施例の多重化伝送装置では、送信処理を受信側送信処理部と送信側送信処理部に分けたので、ＳＯＮＥＴ方式あるいはＳＤＨ方式の対向装置が同時に対向して接続されていても、正しいＳＳビットを伝送することができる。
【００２６】
本実施例では、ＳＯＮＥＴ方式信号およびＳＤＨ方式信号の受信／送信を行う複数の低速信号受信／送信部と、多重分離変換部と、ＳＯＮＥＴ方式の高速信号の受信／送信部とからなる多重化伝送装置を説明したが、ＳＯＮＥＴ方式信号およびＳＤＨ方式信号の受信／送信を行う複数の低速信号受信／送信部と、多重分離変換部と、ＳＤＨ方式の高速信号の受信／送信部とからなる多重化伝送装置であってもよい。
【００２７】
また、同様に、ＳＯＮＥＴ方式信号またはＳＤＨ方式信号の受信／送信を行う複数の低速信号受信／送信部と、多重分離変換部と、ＳＯＮＥＴ方式およびＳＤＨ方式の高速信号の受信／送信部とからなる多重化伝送装置であっても良い。
【００２８】
図７は、本発明の多重化伝送装置の伝送路側に配置される低速信号受信／送信部１または高速信号受信／送信部３の機能ブロック図を示している。
本発明の多重化装置の伝送路側に設けられる信号受信／送信部１は、受信側受信／送信処理部１０と、送信側受信／送信処理部２０から構成される。
【００２９】
受信側受信／送信処理部１０は、受信側受信処理部１１と、受信側送信処理部１２と、内部ＳＳビット設定部１３とから構成される。送信側受信／送信処理部２０は、送信側受信処理部２１と、送信側送信処理部２２とから構成される。さらに、送信側受信処理部２１は、ＡＳＩを識別するポインタ簡易終端部２１１を持ち、送信側送信処理部２２は、ＳＳビット挿入部２２１とＳＳビット挿入判定部２２２から構成される。
【００３０】
本発明の多重化伝送装置は、受信側受信／送信処理部１においてＳＯＮＥＴ方式あるいはＳＤＨ方式信号の受信処理を行う。受信側受信処理部１１では、受信したオーバヘッドのポインタのＳＳビットからＳＤＨ伝送方式を示す”１０”あるいは、ＳＯＮＥＴ伝送方式を示す”００”のいずれかのＳＳビットを検出する。検出されたＳＳビットの値は、内部ＳＳビット設定部１３に伝達され、内部ＳＳビットとして設定される。ただし、「内部ＳＳビット」は、”１０”あるいは、”００”のいずれかであり、それ以外を受信したときは前状態保持とする。
【００３１】
ここで、内部ＳＳビットの設定は、接続される特定の伝送容量単位、例えばＳＴＭ−６４（ＯＣ−１９２）の伝送路と接続される高速受信／送信部ではＳＴＭ−６４（ＯＣ−１９２）単位、ＳＴＭ−４（ＯＣ−１２）の伝送路と接続される低速受信／送信部ではＳＴＭ−４（ＯＣ−１２）単位、とする。このとき、特定の伝送容量単位内には通常複数のＡＵが存在する為、これに対応する受信ＳＳビットも複数存在する。内部ＳＳビットの設定は、例えば特定の伝送容量単位内の先頭ＡＵの受信ＳＳビットに設定しても、あるいは特定の伝送容量単位内に含まれる全ＡＵに対する全受信ＳＳビットを多数決判定したものに設定しても、どちらでもよい。ここでコンカチネートされたパスでは、ＣＩ（Ｃｏｎｃａｔｅｎａｔｉｏｎ  Ｉｎｄｉｃａｔｏｒ）内のＳＳビットは、ＳＯＮＥＴ方式、ＳＤＨ方式共に未定義である為、多数決判定の際にはＣＩ内のＳＳビットを除外することが望ましい。もし、特定の伝送容量単位内のＡＵがただ１つの場合、例えば特定の伝送容量単位がＳＴＭ−０の場合（ＡＵ−３がただ１つ存在）や、特定の伝送容量単位がＳＴＭ−１でこれに含まれるＡＵサイズがＡＵ−４の場合や、特定の伝送容量単位がＳＴＭ−Ｎ（Ｎ＞４）でこれに含まれるＡＵサイズがＡＵ−４−Ｎｃの場合、にはＳＴＭフレーム内の先頭ＡＵの受信ＳＳビットを内部ＳＳビットとする。
【００３２】
受信側送信処理部１２は、（１）警報表示信号ＡＩＳ（Ａｌａｒｍ  Ｉｎｄｉｃａｔｉｏｎ  Ｓｉｇｎａｌ）が転送されている場合は、ＳＳビットを”１１”に設定し、（２）ＡＩＳが転送されていない場合は、ＳＳビットは無処理、または内部ＳＳビット、または任意値として多重伝送装置内の多重分離変換部２へ送信する。ここでＡＩＳはＳＴＳパスレベルでのＡＩＳ−Ｐ（ＡＵレベルでのＡＵ−ＡＩＳ）である。次に受信側送信処理部１２におけるＳＳビットの扱いについて説明する。図７の受信側送信処理部１２の出力は図６の装置内の低速信号受信／送信部１と高速信号受信／送信部３の間、例えばＡの位置での信号に相当しており、この位置ではＳＳビットは処理の対象外であり、本発明を低速信号受信／送信部１と高速信号受信／送信部３双方に適用した場合には、最終的には多重分離変換部２を通過した後段の高速信号受信／送信部３（または低速信号受信／送信部１）内の送信側送信処理部２２（図７）で対向装置に対応した適切な内部ＳＳビットが付与されるので、多重化伝送装置内に限られた暫定的な値にすぎない。具体的な内容としては、ＳＳビットを無処理とするか、あるいは内部ＳＳビット設定部１３からの値によって、ＳＳビットを「内部ＳＳビット」とするか、あるいはＳＳビットを任意の固定値“００”、“０１”、“１０”、“１１”とするいずれの方法でもよく、場合によっては装置構成によって決まる。
【００３３】
例えば、図６で本発明を低速信号受信／送信部１のみに適用し、高速信号受信／送信部３では単にＳＳビットをスルーして伝送路に送り出す本発明適用外の構成をとった場合において、高速信号受信／送信部３がＳＤＨ方式で動作している場合にはＳＳビットを“１０”とすることが必須となるが、高速信号受信／送信部３がＳＯＮＥＴ方式で動作している場合にはＳＳビットを“００”とすることが望ましく、それ以外であっても問題とはならない。
【００３４】
図７の受信側送信処理部１２では、ＡＩＳ非転送時にはＳＳビットを無処理とする場合について示している。
送信側受信処理部２１は、多重分離変換部２から受信したパスのサイズと警報表示信号ＡＩＳを受信しているかどうかを識別するポインタ簡易終端部２１１を有している。ここで、ＡＩＳは前記の受信側送信処理部部１２と同様に、ＳＴＳパスレベルでのＡＩＳ−Ｐ（ＡＵレベルでのＡＵ−ＡＩＳ）である。
【００３５】
送信側送信処理部２２のＳＳビット挿入判定部２２２は、内部ＳＳビット設定部１３から「内部ＳＳビット」の値を受信し、ポインタ簡易終端部２１１から、受信したパスサイズの情報を得て、Ｈ１バイトのＳＳビット位置に内部ＳＳビットの値を割り当てる。ここでＳＳビット挿入は、接続される特定の伝送容量単位、例えばＳＴＭ−６４（ＯＣ−１９２）の伝送路と接続される高速受信／送信部ではＳＴＭ−６４（ＯＣ−１９２）単位、ＳＴＭ−４（ＯＣ−１２）の伝送路と接続される低速受信／送信部ではＳＴＭ−４（ＯＣ−１２）単位、に行う。即ち、特定の伝送容量単位内の全ＡＵのＳＳビットは同一値で伝送路側に送信される。
【００３６】
このとき、ＳＳビット挿入判定部２２２は、（１）ＡＩＳが転送されている場合は、無処理、ないしは“１１”の挿入とし、（２）ＡＩＳが転送されていない場合には、内部ＳＳビット設定部１３からの値により、ＳＳビットを「内部ＳＳビット」とする処理を実行する。ＳＳビット挿入部２２１は、ＳＳビット挿入判定部２２２からの判定をもとに、前記内部ＳＳビットの値をポインタのＳＳビットに挿入し、伝送路側に送信する。ここで、ＡＩＳは前記の送信側受信処理部２１と同様に、ＳＴＳパスレベルでのＡＩＳ−Ｐ（ＡＵレベルでのＡＵ−ＡＩＳ）である。
【００３７】
ここで、ＡＩＳが転送されている場合は、無処理とするのは、ＡＩＳ転送時は送信側受信処理部２１への入力ＳＳビットの値が既に“１１”であるはずだからである。下流の装置でＡＩＳはＨ１バイトとＨ２バイトがオール“１”であるか否かによって検出される為、ＡＩＳが転送されている場合はＳＳビットに内部ＳＳビットの値を挿入してはならず、あくまでも無処理、ないしは“１１”の挿入としなければならない。
【００３８】
【表２】
0003787418.tif 000003
【００３９】
本実施例の多重化伝送装置の受信側受信処理部１１と受信側送信処理部１２と送信側送信処理部２２の上記した処理内容を、表２にまとめて示す。
上記の説明では、内部ＳＳビット設定部１３は、受信側受信信号処理部１１が受信する度に内部ＳＳビットを設定する方法として説明したが、伝送路に新たな対向装置が接続されたときに内部ＳＳビットを設定記憶する初期処理を施し、以降の処理は設定記憶された内部ＳＳビットの値を読み出して伝送路に送出するポインタのＳＳビットに載せるようにしても良い。
【００４０】
次に、図８を用いて本発明の多重化伝送装置および信号受信／送信装置の他の実施例を説明しよう。図８は、前記とは別の実施例としての多重化伝送装置の伝送路側に配置される低速信号受信／送信部１または高速信号受信／送信部３の機能ブロック図を示している。図中のＳＰＩ部３０、ＲＳＴ部４０、ＭＳＴ部５０、ＭＳＰ部６０、ＭＳＡ部７０、ＨＣＳ部８０は、各々、ＩＴＵ−Ｔ  Ｇ．７８３で規定されるＳＤＨ方式の各機能を有するとともに、それぞれに対応するＳＯＮＥＴ方式の機能も有する。ＭＳＡ部７０内に含まれる受信側受信／送信処理部１０、および送信側受信／送信処理部２０は図７の構成と同様である。本実施例の特徴は、前記実施例の如く送信ＳＳビットの値を内部ＳＳビットの値により自動的に選択することの他に、Ｊ０（Ｃ１）バイトの生成終端機能を有するＲＳＴ部４０と、Ｓ１バイトの生成終端機能を有するＭＳＴ部５０と、ＭＳＡ部７０と、ＨＣＳ部８０とに於ける主信号の終端及びモニタ動作を、ＳＤＨ方式とするかＳＯＮＥＴ方式とするかについても、内部ＳＳビットの値により自動的に選択するようにしたことにある。即ち、内部ＳＳビットの値が“００”の場合はＲＳＴ部３０と、ＭＳＴ部４０と、ＭＳＡ部７０と、ＨＣＳ部８０の全部または一部をＳＯＮＥＴ方式で動作させ、一方内部ＳＳビットの値が“１０”の場合はＳＤＨ方式で動作させる。ここで、ＳＯＮＥＴ／ＳＤＨ方式の選択単位は、接続される特定の伝送容量単位、例えばＳＴＭ−６４（ＯＣ−１９２）と接続される高速受信／送信部ではＳＴＭ−６４（ＯＣ−１９２）単位、ＳＴＭ−４（ＯＣ−１２）と接続される低速受信／送信部ではＳＴＭ−４（ＯＣ−１２）単位、とする。
【００４１】
本発明の多重化伝送装置は、図６に示すように、一つの多重伝送装置の別のインタフェースにそれぞれＳＯＮＥＴ伝送方式およびＳＤＨ伝送方式の信号が送られてきたときでも、オペレーションシステムあるいはローカルクラフトインタフェースから指示を与えなくても、ＳＯＮＥＴ方式信号かＳＤＨ方式信号かを識別し、対向装置に正しいＳＳビットを送信することができる。
【００４２】
【発明の効果】
本発明の多重化伝送装置では、低速信号受信／送信部での送信処理を受信側送信処理部１２と送信側送信処理部２１に分け、受信側受信／送信処理部１０で検出した「内部ＳＳビット」によって「内部ＳＳビット」を設定する内部ＳＳビット設定部を持つので、ＡＩＳ受信時、およびＳＳビットが”１０”あるいは、”００”以外の値を受信したときでも、前状態保持を行うことにより、誤ったＳＳビットが送信されることを防ぐ効果を持つ。
【００４３】
また、本発明の多重化伝送装置では、送信ＳＳビットの値を内部ＳＳビットの値により自動的に選択し、さらに、Ｊ０（Ｃ１）バイトの生成終端機能を有するＲＳＴ部４０と、Ｓ１バイトの生成終端機能を有するＭＳＴ部５０と、ＭＳＡ部７０と、ＨＣＳ部８０とに於ける主信号の終端及びモニタ動作を、ＳＤＨ方式とするかＳＯＮＥＴ方式とするかについても、内部ＳＳビットの値により自動的に選択することができる。
【図面の簡単な説明】
【図１】標準化により規定されているＳＯＮＥＴ方式／ＳＤＨ方式でのＳＳビット（Ｈ１バイトの５ビット、６ビット）の違いを説明する図である。
【図２】多重化伝送装置が国際間のネットワークの境界付近で使用される場合について説明する図である。
【図３】ＬＴＥ型の多重化伝送装置を説明する機能ブロック図である。
【図４】ＡＤＭ型の多重化伝送装置を説明する機能ブロック図である。
【図５】既存の多重化伝送装置の信号受信／送信部を説明するブロック図である。
【図６】本発明の多重化伝送装置が用いられる伝送システム構成例を説明するシステム概念図である。
【図７】本発明による多重化装置の低速信号受信／送信部の機能を説明するブロック図である。
【図８】本発明の実施例の多重化伝送装置の伝送路側に配置される低速信号受信／送信部１または高速信号受信／送信部３の機能ブロック図である。
【符号の説明】
１…低速信号受信／送信部、２…多重分離変換部、３…高速信号受信／送信部、４…高速信号受信／送信部、５…挿入分離部、９…オペレーティングシステム、１０…受信側受信／送信処理部、１１…受信側受信処理部、１２…受信側送信処理部、１３…内部ＳＳビット設定部、２０…送信側受信／送信処理部、２１…送信側受信処理部、２２…送信側送信処理部、３０…ＳＰＩ部、４０…ＲＳＴ部、５０…ＭＳＴ部、６０…ＭＳＰ部、７０…ＭＳＡ部、８０…ＨＣＳ部、１００…ＳＯＮＥＴ方式多重化伝送装置、１０３…ＳＯＮＥＴ方式挿入分離多重化伝送装置、１１１…ポインタ解釈部、１１２…ポインタ変換部、１５０…ＳＯＮＥＴ方式多重化伝送装置、２００…ＳＤＨ方式挿入分離多重化伝送装置、２１１…ＡＩＳ認識部、２２１…ＳＳビット挿入部、２２２…ＳＳビット挿入判定部、２５０…ＳＤＨ方式多重化伝送装置。
【図１】
0003787418.tif 000004
【図２】
0003787418.tif 000005
【図３】
0003787418.tif 000006
【図４】
0003787418.tif 000007
【図５】
0003787418.tif 000008
【図６】
0003787418.tif 000009
【図７】
0003787418.tif 000010
【図８】
0003787418.tif 000011